(57)【要約】【課題】自覚式検眼装置本体を被検者に装用させる耳掛け部材や鼻当て部材を、労力を懸けることなく簡単に調節できるものとする。【解決手段】自覚式検眼装置本体１０の水平フレーム１９およびこの内部に挿入された内筒２０を、鼻当て部材１７を支持する支持棒１７ａが貫通し、内筒２０がバネ２０ａによって付勢されている状態では、内筒２０の貫通孔２０ｃに設けられたゴム２０ｆが支持棒１７ａの周面に当接して、支持棒１７ａはロック状態とされ、付勢力に抗して押ボタン２０ｂを押し込んだ状態では、内筒２０が変位してゴム２０ｆは支持棒１７ａの周面から離れ、ロック解除状態とされ、鼻当て部材１７は変位可能とされる。【選択図】　　　　図４
2004073413.tif 000002
【特許請求の範囲】
【請求項１】
本体内に、一対の光学素子の相対的な変位に応じて屈折特性が連続的に変化するアルバレッツレンズを備えた自覚式検眼装置において、
前記本体に、該本体を被検者の耳に掛ける耳掛け部材および被検者の鼻に当接させる鼻当て部材が設けられ、
前記耳掛け部材および前記鼻当て部材は、前記被検者の耳および鼻の位置関係に応じて調節可能に一定の可動範囲を有し、
前記耳掛け部材および前記鼻当て部材を前記可動範囲で自在に可動させるロック解除状態と前記可動範囲のうち所望の位置で固定させるロック状態とを、一動作で切り替えるロック機構を備えたことを特徴とする自覚式検眼装置。
【請求項２】
前記本体に、該本体を前記被検者に装用させたとき該被検者の額に当接させる額当て部材が設けられ、
前記額当て部材は、前記被検者の額の位置関係に応じて調節可能に一定の可動範囲を有し、
前記ロック機構は、前記耳掛け部材および前記鼻当て部材のロック解除状態とロック状態との切替えと連動して、前記額当て部材を前記可動範囲で自在に可動させるロック解除状態と前記可動範囲のうち所望の位置で固定させるロック状態とを切り替えるものであることを特徴とする請求項１記載の自覚式検眼装置。
【請求項３】
本体内に、一対の光学素子の相対的な変位に応じて屈折特性が連続的に変化するアルバレッツレンズを備えた自覚式検眼装置において、
前記本体に、該本体を被検者の耳に掛ける耳掛け部材および被検者の額に当接させる額当て部材が設けられ、
前記耳掛け部材および前記額当て部材は、前記被検者の耳および額の位置関係に応じて調節可能に一定の可動範囲を有し、
前記耳掛け部材および前記額当て部材を前記可動範囲で自在に可動させるロック解除状態と前記可動範囲のうち所望の位置で固定させるロック状態とを、一動作で切り替えるロック機構を備えたことを特徴とする自覚式検眼装置。
【請求項４】
前記ロック機構は、前記ロック状態に付勢される付勢手段を具備してなることを特徴とする請求項１から３のうちいずれか１項に記載の自覚式検眼装置。
【発明の詳細な説明】
【０００１】
【発明の属する技術分野】
本発明は、自覚式検眼装置に関し、詳細には、被検者が眼鏡のように顔に装用することができる自覚式検眼装置の改良に関する。
【０００２】
【従来の技術】
従来より、眼科医等のオペレータは、他覚式のレフラクトメータや自覚式のピジョンテスター等の検眼装置を用いて、被検眼の各種屈折特性を測定し、得られた屈折特性に基づいて、この被検眼に適合する眼鏡の球面度数Ｓ、円柱度数Ｃ、円柱軸の軸角度Ａ等の処方値を決定している。
【０００３】
ここで、上述した自覚式検眼装置は、屈折力が異なる多数のレンズを円周状に配設してなるターレットを筐体内部に備え、ターレットを所定角度回転させることによって、これら多数のレンズのうち任意の一つを選択的に被検眼の正面に配置し、被検者がこの選択されたレンズを通して検眼チャートを見たときの見え方を聞き取り、選択するレンズを順次代えて同様の聞取りを繰り返すことによって、被検者の目の屈折特性を検査するようになっている。
【０００４】
ところで、上述した自覚式検眼装置によって屈折特性（あるいは処方値）を得られるものの、実際に処方する眼鏡の屈折特性としてこの処方値等をそのまま適用するのは、必ずしも好ましいものではない。
【０００５】
すなわち、上述した自覚式検眼装置で求められる処方値は、被検者が、自覚式検眼装置の選択されたレンズを介して、例えば５ｍ先の視力検査用チャートに記載された記号や文字を正常に視認できるか否かに基づいて決定されるものであり、遠方視での視力検査いわゆる遠方視検査によるものである。
【０００６】
これに対して、実際に処方された眼鏡を用いる環境では、遠方視だけでなく手元にある新聞等の文字を見たり足元の歪みを確認することもあり、このような場合に、目には過度の調整力が要求されて、被検者は目に極度の疲労を感じたり、目眩や頭痛を感じる場合もある。
【０００７】
そこで、遠方視力と近方視力とをある程度バランスさせて矯正することが必要となり、最終的には、眼鏡形のトライアルフレームを被検者の顔面に装用させた上で、処方値に近い屈折特性のレンズを選択的に順次、このトライアルフレームに装着し、遠方や近方の見え方等を聞き取って、最終的な処方値を決定する調整用検査が実施されている。
【０００８】
しかし、このように遠方視検査と調整用検査とを行うのは手間がかかるという問題があり、また、検査に要する時間も長時間化している。
【０００９】
このような事情に鑑み、本願発明者らは、遠方視検査と近方視検査とを単一の自覚式検眼装置で行うことができるように、自覚式検眼装置を従来よりも大幅に小型化した自覚式検眼装置を開発した。
【００１０】
すなわち、この自覚式検眼装置は、レンズとして、アルバレッツレンズ（ＡＬＶＡＲＥＺ　ＬＥＮＺ）を用いたものである。
【００１１】
このアルバレッツレンズは、一方の面が、ｘ＝Ａ｛（１／３）ｙ３＋ｙｚ２｝で表される非球面で、かつ他方の面が平面で形成された光学素子（例えば、位相板等）２枚によって構成されている。
【００１２】
そして、これら２枚の光学素子の非球面側を対向させ、互いに１８０°回転させた位置を保ち、両者を互いに反対方向に同一の変位量（移動量）だけ変位（移動）させることによって、屈折力を連続的に変化させることができる（米国特許３，３０５，２９４号）。
【００１３】
そして、従来の自覚式検眼装置に用いられていたターレットが不要となるため、自覚式検眼装置本体を被検者に装用させることができる程度まで、大幅に小型化、軽量化することができる。
【００１４】
【発明が解決しようとする課題】
ところで、自覚式検眼装置をトライアルフレームのように被検者の顔に装用させるには、耳掛け部材や鼻当て部材等を検眼装置の本体に設ける必要がある。
【００１５】
そして、被検者の耳の位置や、鼻の形状・高さ、あるいはこれらの相対的な位置関係は、多くの場合、被検者ごとに異なるため、これらの耳掛け部材や鼻当て部材は、調節可能に、一定の可動範囲を確保する必要がある。
【００１６】
しかし、単に調節機能を有するものとしても、調節の際はオペレータの手が被検者の顔の周りで動かされるため、各部材の調節に手間取ると、被検者は次第に不快になることも考えられる。
【００１７】
また、オペレータにとっても、調節作業に手間取るのは労力や時間の浪費となる。
【００１８】
本発明は上記事情に鑑みなされたもので、本体を被検者に装用させる耳掛け部材や鼻当て部材を、労力を懸けることなく、簡単に調節することを可能にした自覚式検眼装置を提供することを目的とするものである。
【００１９】
【課題を解決するための手段】
上記課題を解決するため、本発明の請求項１に係る自覚式検眼装置は、本体内に、一対の光学素子の相対的な変位に応じて屈折特性が連続的に変化するアルバレッツレンズを備えた自覚式検眼装置において、前記本体に、該本体を被検者の耳に掛ける耳掛け部材および被検者の鼻に当接させる鼻当て部材が設けられ、前記耳掛け部材および前記鼻当て部材は、前記被検者の耳および鼻の位置関係に応じて調節可能に一定の可動範囲を有し、前記耳掛け部材および前記鼻当て部材を前記可動範囲で自在に可動させるロック解除状態と前記可動範囲のうち所望の位置で固定させるロック状態とを、一動作で切り替えるロック機構を備えたことを特徴とする。
【００２０】
ここで、屈折特性とは、眼鏡の球面度数Ｓ、円柱度数Ｃ、円柱軸の軸角度Ａ等の処方値に係わるものをいうが、これら処方値自体であってもよい。
【００２１】
アルバレッツレンズは、一方の面が、ｘ＝Ａ｛（１／３）ｙ３＋ｙｚ２｝で表される非球面で、かつ他方の面が平面で形成された光学素子（例えば、位相板等）２枚によって構成されている。
【００２２】
そして、これら２枚の光学素子の非球面側を対向させ、互いに１８０°回転させた位置を保ち、両者を互いに反対方向に同一の変位量（移動量）だけ変位（移動）させることによって、屈折力を連続的に変化させることができる（米国特許３，３０５，２９４号）。
【００２３】
一定の可動範囲とは、耳掛け部材については、例えば本体との取付部分を中心として回動可能とされた所定の回動範囲等であり、鼻当て部材については、例えば本体から被検者の鼻方向に延伸する方向への範囲等であり、複数人の被検者のデータを予め採取して、設定すればよい。
【００２４】
ただし、本発明の自覚式検眼装置は、このような例示の範囲に限るものではない。
【００２５】
このように構成された本発明の請求項１に係る自覚式検眼装置によれば、耳掛け部材および鼻当て部材によって、自覚式検眼装置本体をトライアルフレームのように被検者の顔に装用させることができ、遠方視検査と近方視検査とを実施することができる。
【００２６】
そして、ロック機構をロック解除状態として、耳掛け部および鼻当て部を可動範囲内で可動自在とし、この可動自在の状態で被検者に自覚式検眼装置本体を装用させ、被検者の目の位置と自覚式検眼装置の検眼孔の位置とを一致させつつ、耳掛け部材を被検者の耳位置に、鼻当て部材を鼻にそれぞれ当接させて、ロック機構をロック状態に切り替えることによって、ロック機構に対する一動作だけで、各被検者に自覚式検眼装置を適合させることができる。
【００２７】
したがって、被検者ごとの調節を、簡単な操作で極短時間のうちに行うことができ、オペレータの負担を軽減するとともに、被検者に過度のストレスを与えるのを回避することができる。
【００２８】
また、本発明の請求項２に係る自覚式検眼装置は、請求項１に係る自覚式検眼装置において、該本体を前記被検者に装用させたとき該被検者の額に当接させる額当て部材が設けられ、前記額当て部材は、前記被検者の額の位置関係に応じて調節可能に一定の可動範囲を有し、前記ロック機構は、前記耳掛け部材および前記鼻当て部材のロック解除状態とロック状態との切替えと連動して、前記額当て部材を前記可動範囲で自在に可動させるロック解除状態と前記可動範囲のうち所望の位置で固定させるロック状態とを切り替えるものであることを特徴とする。
【００２９】
このように構成された本発明の請求項２に係る自覚式検眼装置によれば、耳掛け部材および鼻当て部材とともに、額当て部材も被検者の顔（額）に当接させることができるため、自覚式検眼装置をトライアルフレームのように被検者の顔に装用させたときの密着性を一層高めることができ、自覚式検眼装置のずり落ちを抑制することができる。
【００３０】
また、ロック機構による額当て部材のロック状態／ロック解除状態の切替えが、耳掛け部材および鼻当て部材のロック状態／ロック解除状態の切替えに連動するため、額当て部材についてのロック状態／ロック解除状態の切替えを、耳掛け部材および鼻当て部材についてのロック状態／ロック解除状態の切替えと別個の操作を行う必要がなく、オペレータの労力を増大させることもない。
【００３１】
また、本発明の請求項３に係る自覚式検眼装置は、本体内に、一対の光学素子の相対的な変位に応じて屈折特性が連続的に変化するアルバレッツレンズを備えた自覚式検眼装置において、前記本体に、該本体を被検者の耳に掛ける耳掛け部材および被検者の額に当接させる額当て部材が設けられ、前記耳掛け部材および前記額当て部材は、前記被検者の耳および額の位置関係に応じて調節可能に一定の可動範囲を有し、前記耳掛け部材および前記額当て部材を前記可動範囲で自在に可動させるロック解除状態と前記可動範囲のうち所望の位置で固定させるロック状態とを、一動作で切り替えるロック機構を備えたことを特徴とする。
【００３２】
このように構成された本発明の請求項３に係る自覚式検眼装置によれば、耳掛け部材および額当て部材によって、自覚式検眼装置をトライアルフレームのように被検者の顔に装用させることができ、遠方視検査と近方視検査とを実施することができる。
【００３３】
そして、ロック機構をロック解除状態として、耳掛け部および額当て部を可動範囲内で可動自在とし、この可動自在の状態で被検者に自覚式検眼装置を装用させ、被検者の目の位置と自覚式検眼装置の検眼孔の位置とを一致させつつ、耳掛け部材を被検者の耳位置に、額当て部材を額にそれぞれ当接させて、ロック機構をロック状態に切り替えることによって、ロック機構に対する一動作だけで、各被検者に自覚式検眼装置を適合させることができる。
【００３４】
したがって、被検者ごとの調節を、簡単な操作で極短時間のうちに行うことができ、オペレータの負担を軽減するとともに、被検者に過度のストレスを与えるのを回避することができる。
【００３５】
また、本発明の請求項４に係る自覚式検眼装置は、請求項１から３のうちいずれか１項に係る自覚式検眼装置において、前記ロック機構は、前記ロック状態に付勢される付勢手段を具備してなることを特徴とする。
【００３６】
このように構成された本発明の請求項４に係る自覚式検眼装置によれば、オペレータは、付勢手段の付勢力に抗してロック機構をロック解除状態で保持して、被検者の自覚式検眼装置を装用し、この保持を解除することによって、ロック機構は付勢手段によってロック状態に自動的に戻るため、オペレータがロック機構をロック解除状態に移行させる操作を行う必要がなく、ロック機構の操作性を向上させることができる。
【００３７】
【発明の実施の形態】
以下、本発明に係る自覚式検眼装置の実施の形態について、図面を用いて説明する。
【００３８】
図１は、本発明に係る自覚式検眼装置の一実施形態を表す概略構成図である。
【００３９】
図示の自覚式検眼装置１００は、本体１０の筐体１１，１２内部に、図２に示すアルバレッツレンズ１３およびＶｃｃレンズ１４を備えるとともに、この筐体１１，１２の外部に、選択的に着脱可能に装着されるシフト用レンズ１５を備え、かつ、本体１０を被検者８０の耳に掛けるテンプル（耳掛け部材）１６、被検者８０の鼻に当接させる鼻当て部材１７および被検者の額に当接させる額当て部材１８が設けられた構成である。
【００４０】
ここで、２つの筐体１１，１２にはそれぞれ、被検者８０がこの自覚式検眼装置１０の本体１０を装用した状態で、アルバレッツレンズ１３、Ｖｃｃレンズ１４およびシフト用レンズ１５を通して、外部の検眼用のチャート等を視認させるために設けられた検眼窓１１ａ，１２ａが形成されている。
【００４１】
そして、この検眼窓１１ａ，１２ａ間の距離を被検者８０の瞳孔間距離（ＰＤ）に適合させるために、両筐体１１，１２は、本体１０上部の水平フレーム１９の長手方向に沿ってスライド可能に支持されている。
【００４２】
また、アルバレッツレンズ１３は、図２に示すように、２枚一対の透明な光学素子（例えば、位相板等）１３ａ，１３ｂが互いに重なり合って構成され、これらの重ね合わせ面の表面形状は、ｘ＝Ａ｛（１／３）ｙ３＋ｙｚ２｝で表される３次曲面に形成され、これら２枚の光学素子１３ａ，１３ｂを、これらの光軸Ｘに直交する面内で相対的に上下変位させることにより、両光学素子１３ａ，１３ｂを光学的に合成して得られる屈折力を連続的に変化させることができる。
【００４３】
この実施の形態における両光学素子１３ａ，１３ｂの上下方向の最大相対的変位量Ｌｍａｘは例えば略１２ｍｍである。
【００４４】
そして、この変位量１２ｍｍによって、アルバレッツレンズ１３の球面度数Ｓ１を、−１０Ｄ（ディオプタ）〜＋１０Ｄの範囲で連続的に変化させることができる。
【００４５】
また、このアルバレッツレンズ１３と同軸Ｘ上に配設されたＶｃｃレンズ１４を構成する２枚のシリンダレンズ１４ａ，１４ｂは、光軸Ｘを中心に回転させる（回転変位θ１，θ２）ことによって、Ｖｃｃレンズ１４の円柱度数Ｃおよび円柱軸の軸角度Ａを変化させることができる。
【００４６】
なお、これらアルバレッツレンズ１３の相対的変位ＬおよびＶｃｃレンズ１４の回転変位θ１，θ２は、手動によるものであってもよいし、筐体１１，１２内部にモータ等を組み込んで電動で行うものであってもよい。
【００４７】
また、検眼窓１１ａ，１２ａには、球面度数Ｓを一律にシフトさせるシフト用レンズ１５を択一的に着脱可能に装着させることができるシフト用レンズ装着部１１ｂ，１２ｂが形成されている。
【００４８】
なお、シフト用レンズ装着部１１ｂ，１２ｂには、シフト用レンズ１５のタブ部分１５ａが嵌挿されて、シフト用レンズ１５が装着される。
【００４９】
そして、このシフト用レンズ装着部１１ｂ，１２ｂに装着されるシフト用レンズ１５としては、球面度数Ｓ２が＋１０Ｄのレンズ、＋５Ｄのレンズ、±０のレンズ、−５Ｄのレンズ、および−１０Ｄのレンズ、という５つの種類のものが予め準備されており、これらのうち選択された１つとアルバレッツレンズ１３とを組み合わせることによって、アルバレッツレンズ１３およびシフト用レンズ１５の合成球面度数Ｓ（＝Ｓ１＋Ｓ２）を−２０Ｄ〜±０Ｄ、−１５Ｄ〜＋５Ｄ、−１０Ｄ〜＋１０Ｄ、−５Ｄ〜＋１５Ｄ、±０Ｄ〜＋２０Ｄのいずれかの範囲に設定することができ、実質的にアルバレッツレンズ１３の球面度数Ｓのレンジ幅を−２０Ｄ〜＋２０Ｄの範囲まで拡大することができる。
【００５０】
また、本体１０の水平フレーム１９両側部には、この水平フレーム１９に対して、水平面内で回動可能に一対のテンプル基部１９ａが軸設されている。
【００５１】
さらに図３に示すように、前述したテンプル１６は、個体差によって生じる被検者８０の耳の高さ位置等に適合するように、テンプル基部１９ａに対して、水平面を基準にして一定の角度範囲だけ傾動可能に軸支されている。
【００５２】
そして、このテンプル基部１９ａ内には、テンプル１６を上記傾動範囲で自在に可動させるロック解除状態と傾動範囲の所望の位置で固定させるロック状態とを、一動作で切り替えるロック機構を備えている。
【００５３】
このロック機構は詳しくは図３に示すように、テンプル１６の前部から水平方向に突出形成された条溝を有する回動軸１６ａと、ロック状態においては、この回動軸１６ａの条溝に係合して回動軸１６ａの回動を阻止し、ロック解除状態においては、この回動軸１６ａの条溝から離脱して回動軸１６ａの自在な回動を許容するロック部材１９ｂと、このロック部材１９ｂを、ロック状態とロック解除状態とに一動作で切り替える押ボタン１９ｃと、押ボタン１９ｃを、ロック部材１９ｂがロック状態となる側に付勢するバネ（付勢手段）１９ｄとを備えている。
【００５４】
なお、押ボタン１９ｃは、付勢状態において、テンプル基部１９ａの上面から上方に突出している。
【００５５】
ロック部材１９ｂは、支軸１９ｅを中心としてシーソー様に回動変位するものであり、バネ１９ｄによって上方に付勢された押ボタン１９ｃが、付勢力に抗して下方Ｄに押下されることにより、押ボタン１９ｃの下部がロック部材１９ｂの一端（図３において左側部分）を下方に押下し、ロック部材１９ｂの他端（図３において右側部分）が、支軸１９ｅを回動中心として上方Ｕに持ち上げられ、この他端の内面に形成された条溝と回動軸１６ａの条溝との係合が外れて、回動軸１６ａの回動が許容され、したがって、この回動軸１６ａと一体であるテンプル１６の上下方向Ｕ，Ｄへの傾動が可能となる。
【００５６】
一方、押ボタン１９ｃへの押下力が除去されると、押ボタン１９ｃはバネ１９ｄの付勢力によって上方に戻されるとともに、ロック部材１９ｂの前記一端が元の位置に復帰し、他端が下降し、内面の条溝と回動軸１６ａの条溝とが再び係合し、回動軸１６ａの回動が阻止されて、テンプル１６はそのときの傾動位置で固定される。
【００５７】
また、ロック解除状態におけるテンプル１６を、傾動範囲の下限位置から上方に変位させるのに要する力を軽減するために、テンプル１６を傾動範囲の上限方向に傾動させるトルクを与える弦巻バネ１６ｂが、テンプル１６の回動軸１６ａ根元付近に配設されている。
【００５８】
なお、テンプル１６の、被検者８０の耳が掛かる部分には、切欠き１６ｃが形成されているが、この切欠き１６ｃは、被検者８０ごとの個体差による耳の前後位置の相違に係わらず、各被検者８０の耳に十分適切に掛かるように、前後方向に比較的長く形成されている。
【００５９】
また、左右の各テンプル１６の後端部には、これら左右一対のテンプル１６同士を繋いで、被検者８０の後頭部に巻回されるベルクロストラップ１６ｄが連結されている。
【００６０】
前記鼻当て部材１７は、水平フレーム１９を貫通する支持棒１７ａを介して本体１０に取り付けられており、額当て部材１８は、同じく水平フレーム１９を貫通する支持棒１８ａ，１８ｂを介して本体１０に取り付けられている。
【００６１】
ここで、図４に示すように、鼻当て部材１７と支持棒１７ａとは、鼻当て部材１７を鉛直面内で回動自在とするリンク部材１７ｂを介して連結され、額当て部材１８と支持棒１８ａ，１８ｂとは、額当て部材１８を鉛直面内で回動自在とするリンク部材１８ｃ，１８ｄを介して連結されている。
【００６２】
水平フレーム１９の内部には、内筒２０が挿入されており、この内筒２０の図示右端外壁と、水平フレーム１９の図示右端内壁との間には、内筒２０を図示左方に付勢するバネ２０ａが設けられ、このバネ２０ａの付勢力によって、内筒の２０の図示左端部が押ボタン２０ｂとして、水平フレーム１９の左端から左方に突出した状態に付勢されている。
【００６３】
また、内筒２０には、水平フレーム１９に形成された各支持棒１７ａ，１８ａ，１８ｂ用の貫通孔と略一致する位置に、支持棒１７ａが貫通する２つの貫通孔２０ｄ、支持棒１８ａが貫通する２つの貫通孔２０ｅ、支持棒１８ｂが貫通する２つの貫通孔２０ｅが形成されている。
【００６４】
これらの各貫通孔２０ｃ，２０ｄ，２０ｅはいずれも、内筒２０を、バネ２０ａの付勢力に抗して、図示右方に内筒２０を変位させた位置から、バネ２０ａの付勢力に従って、図示左方に内筒２０を変位させた位置までの間で、各支持棒１７ａ，１８ａ，１８ｂの貫通を阻害しないように、内筒２０の長手方向に沿って長孔として形成されている。
【００６５】
さらに、これらの各貫通孔２０ｃ，２０ｄ，２０ｅの図示右端部には、滑止め部材としてゴム２０ｆが貼着されている。
【００６６】
そして、押ボタン２０ｂが、図示右方に押し込まれた状態においては、各支持棒１７ａ，１８ａ，１８ｂはそれぞれ、水平フレーム１９および内筒２０に対して、貫通方向に自在に移動可能（ロック解除状態）であり、押ボタン２０ｂが、バネ２０ａの付勢力によって図示左方に付勢されている状態においては、各支持棒１７ａ，１８ａ，１８ｂの周面に、各貫通孔２０ｃ，２０ｄ，２０ｅのゴム２０ｆが強く当接するため、各支持棒１７ａ，１８ａ，１８ｂはそれぞれ、水平フレーム１９および内筒２０に対する貫通方向への移動が阻止されて、本体１０に対して固定されたロック状態とされる。
【００６７】
また、支持棒１７ａの、リンク部材１７ｂと水平フレーム１９との間の部分には、鼻当て部材１７を被検者８０の方向に付勢するバネ１７ｃが配設され、支持棒１８ａ，１８ｂの、リンク部材１８ｃ，１８ｄと水平フレーム１９との間の部分には、額当て部材１８を被検者８０の方向に付勢するバネ１８ｅが配設されている。
【００６８】
なお、鼻当て部材１７を支持する支持棒１７ａは、詳しくは図５に示すように、円柱状の胴部１７ｄと円板状の端部１７ｆとに分離可能に構成されている。
【００６９】
そしてこれら胴部１７ｄと端部１７ｆとは、胴部１７ｄに形成された雌ねじ１７ｅと端部１７ｆに形成された雄ねじ１７ｇとを螺合させることによって一体化することができる。
【００７０】
このように、２つの部分１７ｄ，１７ｆに分離可能とすることによって、鼻当て部材１７を、本体１０から脱着することができ、鼻当て部材１７を交換したり、単体で洗浄することができる。
【００７１】
額当て部材１８を支持する支持棒１８ａ，１８ｂについても、支持棒１７ａと同様に構成されており、額当て部材１８を、本体１０から脱着して、額当て部材１８を交換し、あるいは単体で洗浄することができる。
【００７２】
次に、本実施の形態に係る自覚式検眼装置１００の作用について説明する。
【００７３】
まず、眼科医等が自覚式検眼装置１００を、被検者９０に向けて両手で把持する。このとき、眼科医等は、左右の手で各別に左右のテンプル基部１９ａを把持し、それぞれの手の指（例えば第１指）で、テンプル基部１９ａの押ボタン１９ｃを下方に押下するとともに、左手の他の指（例えば第２指）で、水平フレーム１９の押ボタン２０ｂを右手方向に押下する。
【００７４】
このテンプル基部１９ａの押ボタン１９ｃに対する操作によって、バネ１９ｄによって上方に付勢された押ボタン１９ｃは、バネ１９ｄの付勢力に抗して下方Ｄに変位し、押ボタン１９ｃの下部がロック部材１９ｂの一端を下方に押し下げ、ロック部材１９ｂの他端が、支軸１９ｅを回動中心として上方Ｕに持ち上げられ、この他端の内面に形成された条溝と回動軸１６ａの条溝との係合が外れて、回動軸１６ａの回動が許容され、この回動軸１６ａと一体であるテンプル１６の上下方向Ｕ，Ｄへの傾動が可能となる。
【００７５】
また、水平フレーム１９の押ボタン２０ｂに対する操作によって、バネ２０ａによって左手方向に付勢された内筒２０は、バネ２０ａの付勢力に抗して右手方向に変位し、内筒２０の各貫通孔２０ｃ，２０ｄ，２０ｅのゴム２０ｆは、各支持棒１７ａ，２０ａ，２０ｂの周面から離れ、各支持棒１７ａ，２０ａ，２０ｂはゴム２０ｆとの摩擦力が除去されたために、支持棒１７ａはバネ１７ｃの付勢力によって鼻当て部材１７を被検者８０方向に付勢するように変位し、支持棒１８ａ，１８ｂはバネ１８ｅの付勢力によって額当て部材１８を被検者８０方向に付勢するように変位する。
【００７６】
傾動可能となった左右の各テンプル１６は、自重によって下方向に下がるように傾動した状態となる。
【００７７】
ここで、眼科医等は、押ボタン１９ｃを押下したまま、すなわちテンプル１６が傾動可能状態のままで、図６（ａ）に示すように、被検者８０の顔に、上方から本体１０を装用させる。
【００７８】
このとき、下方に傾動したテンプル１６の後端側を被検者８０の両耳に掛ける（図６（ａ））。そして、押しボタン１９ｃを押下したままゆっくり本体１０を下方に降ろし、被検者８０の目の位置と本体１０の検眼窓１１，１２の高さ位置を一致させる（同図（ｂ））。
【００７９】
この間、各テンプル１６は、本体１０に対して傾動自在であるため、テンプル１６を被検者８０の耳に掛けたままで、本体１０を下降させることができる。
【００８０】
そして、目の位置と検眼窓１１，１２との高さ位置を合わせた位置（同図（ｂ））で、眼科医等は、押ボタン１９ｃから指を離す（同図（ｃ））。
【００８１】
この押ボタン１９ｃから指を離す操作によって、押ボタン１９ｃはバネ１９ｄの付勢力によって上方に戻されるとともに、ロック部材１９ｂの内面の条溝と回動軸１６ａの条溝とが係合し、回動軸１６ａの回動が阻止されて、テンプル１６はそのときの傾動位置で固定される。
【００８２】
したがって、テンプル１６は被検者８０の耳に適切に掛けられた状態で固定される。そして、例えば耳の高さ位置が左右で異なる場合にも、それぞれの耳に適切に掛けられたうえで、耳の高さ位置の相違に拘わらず、各目の高さ位置に本体１０を適正に装用させることができる。
【００８３】
この間、水平フレーム１９の押ボタン２０ｂは押下された状態のままであるため、額当て部材１８は、バネ１８ｅの付勢力によって被検者８０の額に当接しつつ、額の形状に応じて前後方向（支持棒１８ａ，１８ｂの貫通方向）に自在に変位する。
【００８４】
同様に、鼻当て部材１７は、バネ１７ｃの付勢力によって被検者８０の鼻に当接しつつ、鼻の形状に応じて斜め方向（支持棒１７ａの貫通方向）に自在に変位する。
【００８５】
次いで、眼科医等は、水平フレーム１９の押ボタン２０ｂから指を離す。この押ボタン２０ｂから指を離す操作によって、内筒２０はバネ２０ａの付勢力によって左手方向に戻され、内筒２０の各貫通孔２０ｃ，２０ｄ，２０ｅのゴム２０ｆが、各支持棒１７ａ，２０ａ，２０ｂの周面に強く当接し、各支持棒１７ａ，２０ａ，２０ｂはゴム２０ｆとの摩擦力によって、ロック状態とされる。
【００８６】
したがって、鼻当て部材１７は被検者８０の鼻に適切に当接した状態で固定され、額当て部材１８は被検者８０の額に適切に当接した状態で固定される。
【００８７】
そして、額当て部材１８や鼻当て部材１７により、本体１０と被検者８０の顔表面との間の密着性が向上したことによって、本体１０が顔から滑り落ちたり、検眼中に本体１０が顔に対して相対的に動くのを防止することができる。
【００８８】
このように本実施の形態に係る自覚式検眼装置１００によれば、従来のターレット式のレンズ群に代えてアルバレッツレンズ１３を用いているため、本体１０を大幅に小型化、軽量化することができ、本体１０に設けられたテンプル１６、鼻当て部材１７および額当て部材１８によって、本体１０をトライアルフレームのように被検者の顔に直接装用させることができ。
【００８９】
そして、各押ボタン１９ｃ，２０ｂを押し込んだ状態から戻す、という簡単な一動作だけで、被検者８０の顔に適正に本体１０を装用させることができる。
【００９０】
したがって、被検者１０ごとのフィッティングを、簡単な操作で極短時間のうちに行うことができ、眼科医等の負担を軽減するとともに、被検者８０にも過度のストレスを与えるのを回避することができる。
【００９１】
なお、本実施の形態に係る自覚式検眼装置１００は、被検者８０に装用されて外部から完全に非拘束のものとして説明したが、本発明の各自覚式検眼装置はこの形態に限定されるものではなく、例えば図７に示すように、本体１０の回動自在に軸支されて、本体１０の両側部に架け渡された略半円環帯状の支持枠５７を設け、この支持枠５７の頂部は、一端にバランサ５２が連結された支持ワイヤ５８の他端側とスプリング５９を介して連結して、半拘束の形態を採用することもできる。
【００９２】
ここで、バランサ５２および本体１０は、支持する支持アーム５３および支柱５４によって支持されている。
【００９３】
このように、本体１０を、バランサを用いて支持することによって、本体１０を装用した被検者が感じる重量感を軽減させることができ、被検者の負担を一層軽減させることができる。
【００９４】
また、本実施の形態に係る自覚式検眼装置１００は、テンプル１６についてのロック状態／ロック解除状態の切替えと、鼻当て部材１７および額当て部材１８についてのロック状態／ロック解除状態の切替えとを、別個の押ボタン１９ｃ，２０ｂによって行う構成であるが、本発明の自覚式検眼装置はこの形態に限るものではなく、テンプル１６、鼻当て部材１７および額当て部材１８についてのロック状態／ロック解除状態の各切替えを、単一のロック機構（押ボタン等）によって行う構成としてもよく、また、テンプル１６および額当て部材１８についてのロック状態／ロック解除状態の切替えだけを統合して単一のロック機構によって行う構成としてもよい。
【００９５】
図８は、テンプル１６、鼻当て部材１７および額当て部材１８についてのロック状態／ロック解除状態の各切替えを、単一の押ボタン２０ｂによって行う構成の一例を示す要部透視図であり、図４に示した押ボタン２０の動きと図３に示したロック部材１９ｂの動きとを連動させるように、これら押ボタン２０とロック部材１９ｂとを、水平フレーム２０に軸支されたプーリ３１およびテンプル基部１９ａに軸支されたプーリ３２，３３に掛けられた可撓性のワイヤ３０によって連結した構成である。
【００９６】
このように構成された自覚式検眼装置１００によれば、単一の押ボタン２０ｂを矢印方向に押し込む操作によって、前述した実施の形態と同様に、鼻当て部材１７および額当て部材１８がロック解除状態とされるとともに、内筒２０に設けられたピン２１に一端が掛けられたワイヤ３０が矢印方向に変位し、このワイヤ３０の他端に掛けられたテンプル１６に対するロック部材１９ｂがロック解除状態とされ、押ボタン２０ｂを元の位置に戻すことにより、上記と反対の作用によって、鼻当て部材１７、額当て部材１８およびテンプル１６がロック状態とされる。
【００９７】
したがって、単一の押ボタン２０ｂによって、テンプル１６、鼻当て部材１７および額当て部材１８についてのロック状態／ロック解除状態の切替えを行うことができ、操作性を一層向上させることができる。
【００９８】
なお、このように単一のロック機構（押ボタン等）によって、複数の部材（本例では、テンプル１６、鼻当て部材１７および額当て部材１８という３つの部材）についてのロック状態／ロック解除状態の切替えを行う構成においては、これらの各部材についての切替えタイミングを完全に一致させてもよいが、必要に応じて、これらの各部材についての切替えタイミングを適宜異なるものとしてもよい。
【００９９】
例えば、上記実施の形態においては、内筒２０の貫通孔２０ｃに設けたゴム２０ｆの厚さと、貫通孔２０ｄ，２０ｅに設けたゴム２０ｆの厚さとを異なるものとする構成により、鼻当て部材１７の支持棒１７ａに貫通孔２０ｃのゴム２０ｆが当接するタイミングと、額当て部材１８の支持棒１８ａ，１８ｂに貫通孔２０ｄ，２０ｅのゴム２０ｆが当接するタイミングとに差異を与えることができ、これらの間で、ロック状態／ロック解除状態の切替えタイミングを異なるものとすることができる。
【０１００】
【発明の効果】
以上詳細に説明したように、本発明の請求項１に係る自覚式検眼装置によれば、耳掛け部材を被検者の耳に掛け、鼻当て部材を被検者の鼻に当接させることによって、自覚式検眼装置本体をトライアルフレームのように被検者の顔に装用させることができ、遠方視検査と近方視検査とを実施することができる。
【０１０１】
そして、ロック機構をロック解除状態として、耳掛け部および鼻当て部を可動範囲内で可動自在とし、この可動自在の状態で被検者に自覚式検眼装置を装用させ、被検者の目の位置と自覚式検眼装置の検眼孔の位置とを一致させつつ、耳掛け部材を被検者の耳位置に、鼻当て部材を鼻にそれぞれ当接させて、ロック機構をロック状態に切り替えることによって、ロック機構に対する一動作だけで、各被検者に自覚式検眼装置を適合させることができる。
【０１０２】
したがって、被検者ごとの調節を、簡単な操作で極短時間のうちに行うことができ、オペレータの負担を軽減するとともに、被検者に過度のストレスを与えるのを回避することができる。
【０１０３】
また、本発明の請求項２に係る自覚式検眼装置によれば、耳掛け部材および鼻当て部材とともに、額当て部材も被検者の顔（額）に当接させることができるため、自覚式検眼装置をトライアルフレームのように被検者の顔に装用させたときの密着性を一層高めることができ、自覚式検眼装置のずり落ちを抑制することができる。
【０１０４】
また、ロック機構による額当て部材のロック状態／ロック解除状態の切替えが、耳掛け部材および鼻当て部材のロック状態／ロック解除状態の切替えに連動するため、額当て部材についてのロック状態／ロック解除状態の切替えを、耳掛け部材および鼻当て部材についてのロック状態／ロック解除状態の切替えと別個の操作を行う必要がなく、オペレータの労力を増大させることもない。
【０１０５】
また、本発明の請求項３に係る自覚式検眼装置によれば、オペレータは、付勢手段の付勢力に抗してロック機構をロック解除状態で保持して、被検者の自覚式検眼装置を装用し、この保持を解除することによって、ロック機構は付勢手段によってロック状態に自動的に戻るため、オペレータがロック機構をロック解除状態に移行させる操作を行う必要がなく、ロック機構の操作性を向上させることができる。
【０１０６】
また、本発明の請求項４に係る自覚式検眼装置によれば、オペレータは、付勢手段の付勢力に抗してロック機構をロック解除状態で保持して、被検者の自覚式検眼装置を装用し、この保持を解除することによって、ロック機構は付勢手段によってロック状態に自動的に戻るため、オペレータがロック機構をロック解除状態に移行させる操作を行う必要がなく、ロック機構の操作性を向上させることができる。
【図面の簡単な説明】
【図１】本発明の一実施の形態に係る自覚式検眼装置を表す概略構成図である。
【図２】図１に示した自覚式検眼装置の筐体内部に設けられた光学系を表す模式図である。
【図３】テンプルのロック機構を示す要部透視図である。
【図４】鼻当て部材および額当て部材についてのロック状態／ロック解除状態の切替えを説明する斜視図および要部断面図である。
【図５】支持棒の分離状態を説明する分解斜視図である。
【図６】本体を装用する過程におけるテンプルの動きを説明する模式図である。
【図７】本体を上方から支持する構成の自覚式検眼装置を示す模式図である。
【図８】単一の押ボタンによる複数の部材についての切替えの連動を可能にする一例を示す要部透視図である。
【符号の説明】
１０　本体
１１，１２　筐体
１１ａ，１２ｂ　検眼窓
１１ｂ，１２ｂ　シフト用レンズ装着部
１３　アルバレッツレンズ
１３ａ，１３ｂ　光学素子
１４　Ｖｃｃレンズ
１４ａ，１４ｂ　シリンダレンズ
１５　シフト用レンズ
１５ａ　タブ部分
１６　テンプル（耳掛け部材）
１６ａ　回動軸
１６ｂ　弦巻バネ
１６ｃ　切欠き
１６ｄ　ベルクロストラップ
１７　鼻当て部材
１７ａ，１８ａ，１８ｂ　支持棒
１７ｂ，１８ｃ，１８ｄ　リンク部材
１７ｃ，１８ｅ，１９ｄ，２０ａ　バネ
１８　額当て部材
１９　水平フレーム
１９ａ　テンプル基部
１９ｂ　ロック部材
１９ｃ，２０ｂ　押ボタン
１９ｅ　支軸
２０　内筒
２０ｃ，２０ｄ，２０ｅ　貫通孔（長孔）
２０ｆ　ゴム
５２　バランサ
５３　支持アーム
５４　支柱
５７　支持枠
５８　ワイヤ
５９　スプリング
８０　被検者
１００　自覚式検眼装置
Ｓ　　球面度数（合成屈折特性）
Ｃ　　円柱度数（屈折特性）
Ａ　　円柱軸の軸角度（屈折特性）
Ｘ　　光軸
Ｌ　　相対的変位量
θ１，θ２　回転変位量
【図１】
2004073413.tif 000003
【図２】
2004073413.tif 000004
【図３】
2004073413.tif 000005
【図４】
2004073413.tif 000006
【図５】
2004073413.tif 000007
【図６】
2004073413.tif 000008
【図７】
2004073413.tif 000009
【図８】
2004073413.tif 000010